(57)【要約】【課題】挿抜時の記録媒体の擦れや損傷を防止するとともに、記録媒体をより良好に放熱することができる電子機器を提供する。【解決手段】記録媒体を挿抜可能に装着する記録媒体装着部と、突起部を備え、前記記録媒体から発生する熱を前記記録媒体の外部に放熱する放熱部材と、前記記録媒体を保護する開閉可能に設けられた保護カバーと、を有し、前記記録媒体装着部は、前記保護カバーの開閉状態に応じて、前記保護カバーの閉状態における第一の位置と、前記保護カバーの開状態における第二の位置とに、移動可能であり、  前記第一の位置では、前記記録媒体装着部に装着された前記記録媒体と前記放熱部材の前記突起部が接触し、前記第二の位置では、前記記録媒体装着部に装着された前記記録媒体と前記放熱部材の前記突起部が離間する。【選択図】図８
2019158982.tif 000002
【特許請求の範囲】
【請求項１】
記録媒体を挿抜可能に装着する記録媒体装着部と、
突起部を備え、前記記録媒体から発生する熱を前記記録媒体の外部に放熱する放熱部材と、
前記記録媒体を保護する開閉可能に設けられた保護カバーと、
を有し、
前記記録媒体装着部は、前記保護カバーの開閉状態に応じて、
前記保護カバーの閉状態における第一の位置と、前記保護カバーの開状態における第二の位置とに、移動可能であり、
前記第一の位置では、前記記録媒体装着部に装着された前記記録媒体と前記放熱部材の前記突起部が接触し、
前記第二の位置では、前記記録媒体装着部に装着された前記記録媒体と前記放熱部材の前記突起部が離間することを特徴とする電子機器。
【請求項２】
前記記録媒体装着部は開口部を備え、前記放熱部材の前記突起部は前記開口部に進入が可能であることを特徴とする請求項１に記載の電子機器において、電子機器。
【請求項３】
前記記録媒体装着部の前記放熱部材と反対側にあって、前記保護カバーの開閉状態に応じて、前記第一の位置、前記第二の位置へ移動可能な記録媒体付勢部材を有し、
前記第一の位置では、前記記録媒体装着部に装着された前記記録媒体と前記記録媒体付勢部材が接触し、
前記第二の位置では、前記記録媒体に装着された前記記録媒体と前記録媒体付勢部材が離間することを特徴とする請求項１または２に記載の電子機器。
【請求項４】
前記第一の位置において、前記記録媒体付勢部材は弾性部材にて前記記録媒体との接触を強める方向に付勢されていることを特徴とする請求項３に記載の電子機器。
【請求項５】
前記突起部の先端は熱伝導性の高い弾性部材等であることを特徴とする請求項１乃至４のいずれか１項に記載の電子機器。
【発明の詳細な説明】
【技術分野】
【０００１】
本発明は電子機器に関し、特に記録媒体を挿抜可能に保持するとともに、記録媒体から生じる熱を効果的に放熱する電子機器に関するものである。
【背景技術】
【０００２】
デジタルカメラ、デジタルビデオカメラ等に代表される撮像装置では、撮影した画像データを記録、保存する手段として、可搬性の記録媒体が用いられてきた。近年の代表的なものとして、制御回路と記録メモリーを内蔵した小型メモリーカードの普及が著しい。
【０００３】
一方で、撮影される画像データのビットレートは、画像の高精細化や高フレームレート化に伴って急激に増大している。撮影時におけるメモリーカードへの書込み速度も高速化が進み、メモリーカードから生じる発熱量が無視できないレベルまで上昇してきた。メモリーカードで発生した熱が内部に滞留し温度上昇が進むと、メモリーカードそのものが影響を受け、異常動作や内部素子の破壊といった可能性もある。
【０００４】
従って、メモリーカードのように、内部に処理回路を有しそれ自体が発熱源となるような記録媒体を装着可能な電子機器には、記録媒体を効果的に放熱する手段を設けることが望ましい。
【０００５】
可搬性の記録媒体を冷却する手段としては、記録媒体にヒートシンク等の放熱部材を接触させて、熱を装置外部に放出する技術が提案されている（特許文献１）。特許文献１に示される従来例では、記録媒体であるＩＣカードの放熱手段と、それをＩＣカードに押圧する弾性体を設けた技術が公開されている。この技術では、記録媒体の放熱性能は確保されるものの、記録媒体を装着する際に放熱手段を押し広げながら挿入するため挿抜性が良くなく、放熱手段と擦れることで記録媒体が損傷する可能性がある。
【０００６】
こうした問題を解決するため、記録媒体の挿抜時に放熱手段との接触を解除する技術が提案されてい（特許文献２）。特許文献２に示される従来例では、放熱部材を移動する機構を設け、記録媒体の保護フタの開閉と連動して、放熱部材が記録媒体と接触、離脱する機構が公開されている。
【先行技術文献】
【特許文献】
【０００７】
【特許文献１】特開平３−１８８５８９号公報
【特許文献２】特開２０１２−９６１４号公報
【発明の概要】
【発明が解決しようとする課題】
【０００８】
しかしながら、上記特許文献２のように、放熱部材側に移動機構を備えることは、以下の点で放熱性能を劣化させる原因となる。第一に、放熱手段を構成する部品が増え、記録媒体の熱が最終的に装置外に放出されるまでの経路が長くなる。第二に、放熱経路を構成する部品どうしが可動することで可動部分における熱抵抗ばらつきや、構成部品の公差等により密着性が損なわれ、放熱系全体の熱抵抗が高くなる。
【０００９】
本発明の目的は、挿抜時の記録媒体の擦れや損傷を防止するとともに、記録媒体をより良好に放熱することができる電子機器を提供することである。
【課題を解決するための手段】
【００１０】
上記目的を達成するため、本発明に係る電子機器は、記録媒体を挿抜可能に装着する記録媒体装着部と、突起部を備え、前記記録媒体から発生する熱を前記記録媒体の外部に放熱する放熱部材と、前記記録媒体を保護する開閉可能に設けられた保護カバーと、を有し、前記記録媒体装着部は、前記保護カバーの開閉状態に応じて、前記保護カバーの閉状態における第一の位置と、前記保護カバーの開状態における第二の位置とに、移動可能であり、  前記第一の位置では、前記記録媒体装着部に装着された前記記録媒体と前記放熱部材の前記突起部が接触し、前記第二の位置では、前記記録媒体装着部に装着された前記記録媒体と前記放熱部材の前記突起部が離間することを特徴とする。
【発明の効果】
【００１１】
本発明によれば、挿抜時の記録媒体の擦れや損傷を防止するとともに、記録媒体をより良好に放熱することができる。
【図面の簡単な説明】
【００１２】
【図１】本発明の実施形態の撮像機器の外観を示した前方斜視図
【図２】本発明の実施形態の撮像機器の後方斜視図
【図３】本発明の実施形態の動作を示す制御図
【図４】本発明の実施形態の撮像機器の概略構造を示す断面模式図
【図５】本発明の実施形態の放熱ブロックの分解斜視図
【図６】本発明の実施形態のカードコネクタユニットの分解斜視図
【図７】本発明の実施形態のカードコネクタユニットの断面図
【図８】本発明の実施形態のカードコネクタユニットの動作を示す断面図
【図９】本発明の実施形態のカードコネクタユニットの動作を示す断面図
【図１０】本発明の実施形態のカード蓋の取りつけ構造を示す斜視図
【図１１】本発明の実施形態のカード蓋開閉バネ取付構造を示す断面図
【図１２】本発明の実施形態のカードコネクタユニットの分解斜視図
【図１３】本発明の実施形態のダクトとカード基板の関係を示す斜視図
【図１４】本発明の実施形態のメモリーカード付勢機構を示す分解図
【図１５】本発明の実施形態のメモリーカード付勢機構を示す斜視図
【図１６】本発明の実施形態の放熱構造を示す側面図
【図１７】本発明の実施形態の放熱構造を示す側面図
【図１８】本発明の実施形態の放熱構造を示す断面図
【図１９】本発明の実施形態の放熱構造を示す断面図
【図２０】本発明の実施形態の放熱構造を示す断面図
【発明を実施するための形態】
【００１３】
＜第１の実施形態＞
以下、本発明に掛かる撮像機器の好ましい形態について詳述する。説明においては、撮影者から見て左側をＸ軸プラス方向もしくはＬ側、右側をＸ軸マイナス方向もしくはＲ側とする、上方をＹ軸プラス方向もしくは上面側、下方をＹ軸マイナス方向もしくは底面側、被写体に近づく方向をＺ軸プラス方向もしくは前方側、Ｚ軸マイナス方向は背面側とする。
また、撮像機器の底面は水平面となっている。なお、本発明の関係する部分を中心に説明を行い、発明と直接関連しない部分は省略している。
【００１４】
（外観説明）
図１は、本発明の実施形態の撮像機器の外観を示した前方斜視図である。図２は、本発明の実施形態の撮像機器の後方斜視図である。カメラ１の正面の中央付近には円筒状の鏡筒部２を備え、鏡筒部２はレンズ部３０を内包している。
【００１５】
カメラ１の上面には、マイク１３と電源スイッチ１１とトリガー１２とその他各種操作ボタン１５，１６，１７を備えている。また、背面部４には、タッチパネル付きの画像表示部２１０を備えている。また、Ｘ軸プラス側の側面には、後述する空冷ダクトとつながり、上下に矩形状となる吸気口７を形成したＬカバー９を備えている。また、Ｘ軸マイナス側の側面外観には、空冷ダクトとつながり、Ｙ軸方向に長方形となる排気口６を備えている。そして、吸気口７の近傍には、カード蓋４００を備えている。また、カード蓋４００に上方に隣接して、カード蓋開閉つまみ８を備えている。
【００１６】
（動作制御説明）
図３は、本発明の実施形態のカメラ１の動作制御の構成を示すブロック図である。カメラ１は、フォーカス及びズーム等の光学制御系を含む光学レンズ群及び絞りからなるレンズ部３０を備えている。また、後述する撮像素子３１及び撮像基板部３２を含むメイン撮像部５０２を備えている。また、カメラ信号処理部５０３、圧縮伸張処理部５０４、画像表示部２１０、記録再生処理部５０６、メモリーカード５１９を制御するカード制御部５０７、大容量内蔵メモリー５２０を制御する大容量内部メモリー制御部５０８を備えている。
【００１７】
また、音声信号処理部５１０、メモリー５１１、メモリー５１１、メモリー制御部５１２、操作部５１４、外部装置５２１との接続で使うデジタルＩ／Ｆ５１５、外部装置５２２との接続をおこなう入出力部５１６、ＧＰＳ受信部５２４、ＧＰＳ信号処理部５２５、電源制御部５１７、バッテリー５２３、さらに本体冷却用にファン７０を備えている。また、各機能ブロックは、それぞれデータバス５１８を介して互いにデータ通信可能に接続されている。
【００１８】
このようなカメラ１において、メモリー５１１はプログラム記憶領域とデータ作業領域を有し、データバス５１８を介して各機能ブロックでタイムシェアリングして使用され、メモリー制御部５１２により制御及び管理されている。ＣＰＵ５１３は所定のプログラムを実行すること等により、カメラ１全体を統括制御する中央演算処理回路である。操作部５１４は、前記タッチパネル付きの画像表示部２１０や電源スイッチ１１及びトリガー１２等を含んでいる。
【００１９】
前述したが、電源スイッチ１１はスライド操作することで電源のＯＮ／ＯＦＦを行う。トリガー１２は押圧操作することで動画撮影のスタート／ストップを行うことが出来る。このように、操作部５１４はユーザーからのキー操作などに基づいて、ＣＰＵ５１３に対して動作指示する機能を有する。デジタルＩ／Ｆ５１５は、例えば図示しないＵＳＢ等の規格に従い外部装置５２１と信号を授受する。
【００２０】
メモリーカード５１９は、ＳＤカードやコンパクトフラッシュ（登録商標）等の脱着式のフラッシュメモリーであり、撮影データ及び音声データが記録される。
【００２１】
電源制御部５１７は、バッテリー検出回路、ＤＣ−ＤＣコンバータ、通電するブロックを切り替えるスイッチ回路等により構成されており、バッテリー５２３の装着の有無、電池の種類、電池残量の検出を行う。バッテリー５２３はリチウムイオン等であり、カメラ１に電源を供給する。
【００２２】
ＧＰＳ受信部５２４は、ＧＰＳ衛星から位置と時間のデータを取得する。このデータはＧＰＳ信号処理部５２５にて処理され、ＧＰＳ受信部５２４の位置やその位置における時刻を算出する。このカメラ１では、算出した位置情報や時刻情報を画像データとともに大容量内蔵メモリー５２０またはメモリーカード５１９に書き込む。再生時には、この位置情報や時刻情報を参照することができ、データや記憶の整理に利用出来る。
【００２３】
次に、カメラ１の撮影動作及び記録動作、再生動作について説明する。例えば操作部５１４により撮影動作、記録動作が指示された場合、被写体からの光はレンズ部３０により所定の明るさ、画角、及びフォーカス等が制御された光学信号となってメイン撮像部５０２に対して入力される。メイン撮像部５０２  は入力光学信号を電気信号に変換し、カメラ信号処理部５０３に出力する。カメラ信号処理部５０３はこの電気信号をデジタル画像信号に変換する。
【００２４】
そしてこの画像信号に対して、色分離、階調補正、及びホワイトバランス調整などの信号処理を施した後出力する。音声信号処理部５１０は、マイク１３より入力された音声信号を所定レベルにゲインコントロールしてデジタル化することで音声データとして出力する。
【００２５】
圧縮伸張処理部５０４は、カメラ信号処理部５０３から出力された画像データ及び音声信号処理部５１０から出力された音声データを所定の圧縮符号化方式により圧縮符号化する。圧縮伸張処理部５０４で処理された圧縮符号化対象の撮影データは、画像表示部２１０に表示され必要に応じてカメラ１の動作状況も表示する。
【００２６】
記録再生処理部５０６は、圧縮伸張処理部５０４で得られた圧縮符号化のデータに対してエラー訂正符号処理化や変調処理等を施す。さらに、同期、ＩＤ、ＧＰＳ受信部５２４及びＧＰＳ信号処理部５２５から算出した位置情報や時刻情報などのデータを付加して記録に適した形態に変換した後、大容量内蔵メモリー５２０あるいはメモリーカード５１９等の記録媒体に記録する。  この際、大容量内部メモリー制御部５０８は、大容量内蔵メモリー５２０の記録制御を、カード制御部５０７はメモリーカード５１９の記録制御を行う。
【００２７】
一方、操作部５１４により再生動作が指示された場合、記録再生処理部５０６は大容量内蔵メモリー５２０またはメモリーカード５１９から読み出したデータから基のデジタルデータを検出し、エラー訂正及び復調処理を施す。またＰＬＬ回路によりこの再生データに同期したクロックを生成する。
【００２８】
圧縮伸張処理部５０４は、記録再生処理部５０６より出力されたデータに対して、所定の圧縮符号化方式に対応した伸張処理を施し、圧縮符号化前の撮影データ及び音声データを取得する。画像表示部２１０は、圧縮伸張処理部５０４で得られた再生データを表示する。
【００２９】
また、操作部５１４によりデジタルＩ／Ｆ５１５からの入力データを記録する指示があった場合、ＣＰＵ５１３はデジタルＩ／Ｆ５１５により、外部装置５２１からの画像データあるいは音声データをデジタル信号の状態で入力し、記録再生処理部５０６に送る。この際、外部装置５２１からの画像データ、音声データはすでに符号化されているものとし、記録再生処理部５０６は前述のようにこの入力データに対して記録に必要な処理を施して大容量内蔵メモリー５２０やメモリーカード５１９などの記録媒体に記録する。
【００３０】
また操作部５１４により、入出力部５１６からの入力信号を記録する指示があった場合、ＣＰＵ５１３は入出力部５１６を制御し、外部装置５２２から出力された画像、音声信号を入力する。
【００３１】
入出力部５１６は、外部装置５２２から出力された画像、音声信号をデジタルデータに変換してメモリー５１１に出力する。ＣＰＵ５１３はこのメモリー５１１に記憶された画像、音声データを圧縮伸張処理部５０４に出力して圧縮符号化し、記録再生処理部５０６に送る。
【００３２】
記録再生処理部５０６は、前述のようにこの符号化されたデータに対して記録に必要な処理を施して大容量内蔵メモリー５２０やメモリーカード５１９などの記録媒体に記録する。
【００３３】
また、電源をＯＮにすると、ファン７０は駆動を開始して、後述する放熱ブロック９００を介して給排気を行うスピーカー制御部６００により、スピーカーからの音声出力の制御を行う。
【００３４】
（カメラ１の内部の概略構造）
図４は、カメラ１をレンズ部３０の光軸を含んだＸＺ平面で切った場合の断面模式図である。鏡筒部２は、レンズ部３０を内包している。レンズ部３０のＺ軸マイナス方向（後方）には、前記メイン撮像部５０２を含む撮像素子３１が実装された撮像基板部３２が図示しないネジにて固定されている。撮像基板部３２では、前記カメラ信号処理部５０３を含んでいる。
【００３５】
撮像基板部３２の後方には、メイン基板部３３が撮像基板部３２と平行に並んでおり、前記撮像基板部３２とメイン基板部３３は図示しないケーブルで接続されている。メイン基板部３３は、圧縮伸張処理部５０４や記録再生処理部５０６や音声信号処理部５１０など各種信号処理や制御機能を含んでいる。したがって、メイン基板部３３に実装された電気部品は発熱する。メイン基板部３３のＺ軸マイナス側の実装面３３ｂには、前記発熱する電気部品（図示せず）が備えられている。
【００３６】
図４で、メイン基板部３３の後方（レンズ部３０のＺ軸マイナス方向）には放熱ブロック９００を備えている。また、放熱ブロック９００の後方にはカードコネクタユニット５０１（図９）を備えている。そして、カードコネクタユニット５０１の後方にはメモリーカード付勢機構７００（図４）を備えている。
【００３７】
（放熱ブロック９００の構造）
放熱ブロック９００（図４）の分解斜視図を、図５に示す。Ｚ軸プラス側から順に前方ダクト４０、ファン７０、後方ダクト５０の順に並んでおり、前方ダクト４０と後方ダクト５０は熱伝導率の高い金属等の材質の部品であり、内部に複数のリブを備えた矩形状をしており、ファン７０を矩形状の内部に備えている。
【００３８】
前方ダクト４０と後方ダクト５０が組み立てられることで、図４に示すようにダクト吸気部９００ａとダクト排気部９００ｂを備えた箱形状となる。そして、ファン７０を回転することで、図４に示すように気流９０１、気流９０２、気流９０３の流れで放熱ブロック９００内に気流を発生させ、放熱ブロック９００の熱を放熱する。
【００３９】
後方ダクト５０の外観には、ＸＹ平面と略平行な面５０ａ、Ｚ軸プラス方向に突出した略矩形状の突起部５１の放熱当接面５１ａを有している。そして、突起部５１のＹ軸方向の両端には突起部５１より一段低い面５３ａと面５３ｂを備えている。
【００４０】
面５０ａからはボス５５ａ，ボス５５ｂ、ボス５５ｃがＺ軸マイナス方向に突出し、同一の高さで形成されている。また、ボス５５ａのＸ軸マイナス側にはＹ軸と平行にリブ５４が形成されている。リブ５４の両端には、突起軸５４ａと突起軸５４ｂがＹ軸に沿って突出している。また、面５２はＹＺ平面と平行な面であり、突起部５２ａがＸ軸方向に突出して形成されている。
【００４１】
（カードコネクタユニット５０１の構造）
図６にカードコネクタユニット５０１（図８、図９）の分解斜視図、図７にカードコネクタユニット５０１の断面模式図を示す。カードコネクタユニット５０１は、カード基板５５０にカードコネクタ５６０が実装されて構成されたユニットである。
【００４２】
カードコネクタ５６０は略扁平な矩形状であり、メモリーカード５１９が挿抜される開口部５６１を備えている。メモリーカード５１９は前面部５１９ｂを指で押し、矢印５００ａ（図６）の向きに押すことで、カードコネクタ５６０に挿入される。メモリーカード５１９の後端部には細長い凹部を形成している接点部５１９ａを備える。そして、カードコネクタ５６０の後端部には、前記矢印５００ａと平行かつ、開口部５６１側に突出した端子部５６３を備え、メモリーカード５１９はが挿入されると接点部５１９ａと端子部５６３が圧嵌され導通可能となる。
【００４３】
カードコネクタ５６０の一側面には、カード抜去する際に操作するエジェクトレバー５６４が備えられており、矢印５００ａの方向に操作することで図示しないエジェクト機構により、メモリーカード５１９は排出される。
【００４４】
図６に示すように、カードコネクタ５６０の面５６２には矩形状の穴５６０ａが形成されており、カード基板５５０には矩形状の穴５５０ａが形成されている。また、図７に示すように、カード基板５５０の底面にはコネクタ５７０が実装されており、ケーブル５７１にてメイン基板部３３と接続している。
【００４５】
（カード基板の動作）
カード蓋４００の開閉に伴う前記カードコネクタユニット５０１の動作を、図８及び図９に示す。図８はカード蓋４００が開いた状態であり、メモリーカード５１９が挿入途中の状態を示す。図９がカードカードコネクタユニット５０１内にメモリーカード５１９が装着された状態で、カード蓋４００も閉じた状態を示す。
【００４６】
カードコネクタユニット５０１は、図８に示す突起軸５４ａ，突起軸５４ｂに軸支された図１２に示す穴６０６ｃ、穴６０６ｄを中心に回動可能である。図８、図９に示すように、カード蓋４００は軸４１０ａ，軸４１０ｂを中心として回動して開閉を行う。カード蓋４００を閉めた状態（図９）では、カードコネクタユニット５０１は前述した後方ダクト５０の放熱当接面５１ａと略平行な面である。対して、カード蓋４００を開いた状態（図８）では、カードコネクタユニット５０１と放熱当接面５１ａのなす角度は角度Θ１となる。上記機構については、後述する。
【００４７】
（カード蓋の開閉）
図１０には、製品内部から見たＬカバー９へ取りついたカード蓋４００の組み立て斜視図を示す。矩形状のカード蓋４００の両側面の上部には、軸４１０ａと軸４１０ｂが形成されており、軸４１０ａはＬカバー９と軸固定部材９１に挟まれて軸支され、軸４１０ｂはＬカバー９と軸固定部材９２に挟まれることによって軸支される。さらに、カード蓋４００の上部には、若干彎曲した細長い腕部４２０がＺ軸プラス方向に突出している。また、
カード蓋４００の下部には面４０１を備えている。
【００４８】
図１１には、開時の回動力を発生させるねじりコイルばね４５０を取付けた時の断面を示す。カード蓋４００には、図示しない軸部にねじりコイルばね４５０が軸支されており、ねじりコイルばね４５０の腕４５０ａはカード蓋４００の内面に当接し、もう一端の腕４５０ｂは前方ダクト４０の面５２に形成された突起部５２ａに当接し、時計回りのばね力を発生する。
【００４９】
カード蓋開閉つまみ８（図２）を操作することで、図示しないロック部が外れ、前記ねじりコイルばね４５０の力によってカード蓋４００は外観側に開く。
【００５０】
（カードコネクタユニットの保持）
図１２に、カードコネクタユニット５０１を保持する構造を示す。基板ホルダー６０１は、カード基板５５０と平行な面６０１ａを有する。そして、面６０１ａに、ネジ穴６０２ａ，ネジ穴６０２ｂ，ネジ穴６０２ｃ，ネジ穴６０２ｄと略矩形状の穴６０８を備え、ネジ５０５ａ，ネジ５０５ｂ，ネジ５０５ｃ，ネジ５０５ｄにより，カード基板５５０の、カードコネクタ５６０が実装された面の裏面に螺合される。
【００５１】
基板ホルダー６０１のＸ軸と平行な両辺には、４つの曲成部として、作用軸固定部６０７ａ，作用軸固定部６０７ｂと固定腕部６０６ａ，固定腕部６０６ｂを備える。カード挿入部近傍には作用軸固定部６０７ａ，作用軸固定部６０７ｂをＹ軸に平行に備え、カードコネクタ５６０の後端側には固定腕部６０６ａ，固定腕部６０６ｂをＹ軸に平行に備える。固定腕部６０６ａと固定腕部６０６ｂには、それぞれ穴６０６ｃと穴６０６ｄを備えている。
【００５２】
作用軸６５０は、細長い棒形状で作用軸６５０の両端部は作用軸固定部６０７ａ、作用軸固定部６０７ｂに軸支され、作用軸６５０はＹ軸に平行に保持される。固定腕部６０６ａと作用軸固定部６０７ａの間には、バネ係止部６０５を備えている。
【００５３】
図１３に、基板ホルダー６０１を後方ダクト５０に取り付けた状態を示す。穴６０６ｃと穴６０６ｄに、突起軸５４ａと突起軸５４ｂが係合している。穴６０６ｃと穴６０６ｄの径は、突起軸５４ａと突起軸５４ｂの径より大きく、基板ホルダー６０１は回動自在である。
【００５４】
後方ダクト５０のＺＸ平面と平行な面５０ｂには、二つの突起部であるバネ係止部５６ａとバネ係止部５６ｂを備えている。引っ張りコイルばね４３０は、一端をバネ係止部５６ａに係止し、他端を基板ホルダー６０１のバネ係止部６０５に係止して、基板ホルダー６０１と後方ダクト５０を近接方向に付勢している。
【００５５】
（メモリーカード付勢機構７００の構造）
図１４、図１５を用いて、カードコネクタユニット５０１内に装着されたメモリーカード５１９を付勢する機構を説明する。図１４は分解斜視図であり、図１５は組み立て状態の斜視図である。
【００５６】
樹脂材料等で成形されたベース部材７５０上に、複数の部材が備えられている。ベース部材７５０には、矩形状の平板上の面に二本の支柱部７５１と支柱部７５２がＹ軸方向に並んでいる。支柱部７５１と支柱部７５２は先端が半円状の細長い板形状であり、どちらも先端部には穴７５１ａと穴７５２ａが形成されている。穴７５１ａと穴７５２ａは、同軸線上に並んでおり、該軸線はＹ軸と略平行である。
【００５７】
ベース部材７５０の支柱部７５１の近傍には、Ｘ軸方向に延びた摺動穴７５３が形成されている。さらに、摺動穴７５３近傍の角には半円盤状の突起部７５４が形成され、突起部７５４からはＹ軸マイナス方向に係止部７５４ａが突出している。
【００５８】
さらに、支柱部７５１の近傍には、穴７５６ｂと穴７５６ｃを形成している。さらに、図１４に示すように、ベース部材７５０の矩形の中で支柱部７５１と略対角位置には、穴７５６ａ（図１４）が形成されている。
【００５９】
図１４で、レバー７９０は摺動性を備えた樹脂部材であり、斜面部７９１と蓋当接面７９２と二本の係合足部７９４と係合足部７９５がＸ軸方向に並んでいる。また、斜面部７９１の側面からは、バネ係止軸７９６がＹ軸プラス方向に突出している。
【００６０】
Ｚ軸マイナス方向に突出した係合足部７９４と係合足部７９５は、前記ベース部材７５０の摺動穴７５３に係合することで、レバー７９０はＸ軸と略平行に摺動が可能となる。引っ張りコイルバネ７７０は、両端が円弧上に成形され、端部７７０ｂはベース部材７５０の係止部７５４ａに係止され、端部７７０ａはレバー７９０の係止部７５４ａに係止されることで張設され、レバー７９０はＸ軸プラス方向に付勢される。
【００６１】
続いて、カード付勢部材７１０周辺の組み立てを説明する。図１４で、カード付勢部材７１０は、中央部に太い円筒上の付勢部７１１とその両端が細い軸部７１２と同様に細い軸部７１３を備えており、付勢部７１１と軸部７１２と軸部７１３は同軸である。固定板７３０は、４つの穴７３１、穴７３２、穴７３３、穴７３４が形成された平板形状である。
固定板７４０は３つの穴７４１、穴７４２、穴７４３、が形成された平板形状であり、Ｙ軸方向に突出した摺動軸７４４が形成されている。
【００６２】
連結棒７２０は、断面が丸い棒形状で一端が先端部７２０ａと他端が頭部７２０ｂで構成され、連結棒７２０の中央部に対し先端部７２０ａは細く、頭部７２０ｂは太い。連結棒７２０は、固定板７４０の穴７４３と固定板７３０の穴７３４を挿通し、さらに、先端部７２０ａが穴７４３に図示しないＥリング等で抜け防止がほどこされ、固定板７４０は頭部７２０ｂに当接する。
【００６３】
連結棒７２５は、断面が丸い棒形状で一端が先端部７２５ａと他端は頭部７２５ｂで形成され、連結棒７２５の中央部に対し、先端部７２５ａは細く、頭部７２５ｂは太い。連結棒７２５は、固定板７４０の穴７４２を挿通し、支柱部７５１の穴７５１ａを挿通し、固定板７３０の穴７３２を挿通し、先端部７２５ａが支柱部７５２の穴７５２ａに図示しないＥリング等で抜け防止が施され、固定板７４０は頭部７２５ｂと当接する。
【００６４】
カード付勢部材７１０の軸部７１２は固定板７３０の穴７３１に軸支され、軸部７１３は固定板７４０の穴７４１に軸支され、穴７４１から突出した軸先端７１４には引っ張りコイルばね８０の一端８１ａが係止される。そして、ベース部材７５０の穴７５６ａ、穴７５６ｂ、穴７５６ｃが、図５に示すボス５５ｂ、ボス５５ａ、ボス５５ｃに図示しないネジにて固定される。
【００６５】
（カード蓋とカードコネクタユニットの連動機構の説明）
図１６、図１７、図１８、図１９、図２０を用いて、カード蓋４００とカードコネクタユニット５０１の連動について説明する。図１７はカード蓋４００が開いた状態で、図１６はカード蓋４００を閉じた状態である。カードコネクタユニット５０１は、穴６０６ｃの中心を通るＹ軸を軸として、回動が可能である。また、コネクタユニット５０１のバネ係止部６０５に係止している引っ張りコイルばね４３０により、時計周り方向にばね力が発生している。
【００６６】
図１８は、メモリーカード５１９が装着時であり、カード蓋４００を閉じた状態での断面模式図である。また、図１９にはメモリーカード５１９が非装着時であり、カード蓋４００を閉じた状態での断面模式図である。
【００６７】
カード蓋４００が閉じている時、前記引っ張りコイルばね８０のばね力によりカード付勢部材７１０の一部はカードコネクタ５６０の穴５６０ａに進入する。カード蓋４００が閉じている時、前記引っ張りコイルばね４３０のばね力により後方ダクト５０の突起部５１はカード基板５５０の穴５５０ａを挿通し、カードコネクタユニット５０１の内部に進入する。
【００６８】
図１８で、メモリーカード５１９を装着している時には、メモリーカード５１９の一面には前記突起部５１の放熱当接面５１ａが当接することで、カメラ１動作時のメモリーカード５１９の熱を後方ダクト５０に移し、放熱を行う。
【００６９】
しかしながら、このままではメモリーカード５１９の厚さに対しカードコネクタユニット５０１の内部の寸法は大きいため、メモリーカード５１９と放熱当接面５１ａは当接が不安定となる。当接を確実なものとするために、カード付勢部材の動作を以下に説明する。  カード蓋４００が閉じている時、カード蓋４００の下側の面４０１はレバー７９０の蓋当接面７９２に当接し、引っ張りコイルバネ７７０の圧縮力に抗して、レバー７９０をＸ軸マイナス方向に付勢している。そのため、カード付勢部材７１０は反時計まわりに回動し、カードコネクタ５６０の穴５６０ａから挿通して、カードコネクタユニット５０１内部に進入する。
【００７０】
メモリーカード５１９の非装着時には、固定板７４０の摺動軸７４４がレバー７９０の斜面部７９１に当接することで、カード付勢部材７１０の位置は決まる。この時、放熱当接面５１ａとカード付勢部材７１０の距離ｔはメモリーカード５１９の厚さより小さい。
【００７１】
対して、メモリーカード５１９の装着時には、カード付勢部材７１０はメモリーカード５１９の一面に当接して位置が決まる。この時、支柱部７５２と斜面部７９１には隙間があり、カード付勢部材７１０には常に引っ張りコイルばね８０の引っ張り力により連結棒７２５を中心として反時計方向に付勢されている。
【００７２】
図２０はメモリーカード５１９の非装着時で、カード蓋４００を閉じた状態（図９）のＺＹ平面で切った場合の断面模式図である。前述したように、カードコネクタユニット５０１（図８、図９）はＺ軸上方に付勢されるが、図２０で、後方ダクト５０の放熱当接面５１ａから一段Ｚ軸プラス方向にずれた面５３ａと面５３ｂに基板ホルダー６０１が当接する。
【００７３】
カード蓋４００が開いた時（図８）は、以下の動作を行う。カード蓋４００が軸４１０ａを中心に回動することで、腕部４２０（図１０）が基板ホルダー６０１の作用軸６５０（図１２、図１３）を押し下げる。図１２で、基板ホルダー６０１は穴６０６ｃを中心に回動することで、後方ダクト５０の放熱当接面５１ａはカード基板５５０の穴５５０ａから退避する（図８）。
【００７４】
この時、ねじりコイルばね４５０（図１１）が作用軸６５０（図１２）を押し下げる力は、引っ張りコイルばね４３０（図１３）が基板ホルダー６０１（図１２）を持ちあげる力よりも大きい。引っ張りコイルバネ７７０（図１４）のばね力により、レバー７９０（図１４）はＸ軸プラス方向に移動し、固定板７４０（図１４）を時計回りに回動させる。その結果、カード付勢部材７１０（図１４）は時計回りに回動し、穴５６０ａ（図８）から退避する。
【００７５】
したがって、メモリーカード５１９の装着時にカード蓋４００が開いた時は、メモリーカード５１９と後方ダクト５０及びカード付勢部材７１０は接触していない。このため、メモリーカード５１９を挿抜する際にキズを付けることがなく、カード蓋４００を閉じた時には装着しているメモリーカード５１９をＺ軸に沿って両面から付勢することで、後方ダクト５０とメモリーカード５１９の接触を確保して、放熱を確実に行うことが可能となる。
【００７６】
以上、本発明をその好適な実施形態において詳述してきたが、本発明はこれら特定の実施形態に限られるものではない。この発明の趣旨を逸脱しない範囲のさまざまな形態も本発明に含まれる。
【符号の説明】
【００７７】
１  ・・・・  カメラ
２  ・・・・  鏡筒部
４  ・・・・  背面部
６  ・・・・  排気口
７  ・・・・  吸気口
３０  ・・・・  レンズ部
３１  ・・・・  撮像素子
３２  ・・・・  撮像基板部
３３  ・・・・  メイン基板部
【図１】
2019158982.tif 000003
【図２】
2019158982.tif 000004
【図３】
2019158982.tif 000005
【図４】
2019158982.tif 000006
【図５】
2019158982.tif 000007
【図６】
2019158982.tif 000008
【図７】
2019158982.tif 000009
【図８】
2019158982.tif 000010
【図９】
2019158982.tif 000011
【図１０】
2019158982.tif 000012
【図１１】
2019158982.tif 000013
【図１２】
2019158982.tif 000014
【図１３】
2019158982.tif 000015
【図１４】
2019158982.tif 000016
【図１５】
2019158982.tif 000017
【図１６】
2019158982.tif 000018
【図１７】
2019158982.tif 000019
【図１８】
2019158982.tif 000020
【図１９】
2019158982.tif 000021
【図２０】
2019158982.tif 000022